(57)【要約】      （修正有）【課題】取り付けられるプレートの剥がれを防止してプレートの確実な固定状態を維持できるリールシートを提供する。【解決手段】リールシートは、リールシート本体２と、固定フード５と、移動フードとを備え、移動フードと固定フード５との間でリール脚を締め付けて固定する。このリールシートは、リールシート本体２に設けられる凹陥状の所定の長さを有する溝３１と、この溝３１に嵌め込まれるプレート３０とを有する。溝３１の端部には、プレート３０と係止して溝３１からのプレート３０の浮き上がりを規制するための係止部４０が設けられる。【選択図】図２
2019170314.tif 000002
【特許請求の範囲】
【請求項１】
釣竿の竿杆に設けられ、リール脚を載置するためのリール脚載置面を有するリールシート本体と、該リールシート本体に設けられ、リール脚を受け入れる開口を有する固定フードと、該固定フードと対向して移動可能にリールシート本体に設けられ、リール脚を受け入れる開口を有する移動フードとを備え、前記移動フードと前記固定フードとの間で前記リール脚を締め付けて固定するリールシートであって、
前記リールシート本体及び／又は前記フードに設けられる凹陥状の所定の長さを有する溝と、この溝に嵌め込まれるプレートとを有し、前記溝の端部には、前記プレートと係止して前記溝からの前記プレートの浮き上がりを規制するための係止部が設けられることを特徴とするリールシート。
【請求項２】
前記係止部は、前記溝の端部の開口を所定の長さにわたって少なくとも部分的に閉じる閉塞部によって形成されることを特徴とする請求項１に記載のリールシート。
【請求項３】
前記係止部が前記溝の両端部に設けられることを特徴とする請求項１又は２に記載のリールシート。
【請求項４】
前記溝が前記リールシート本体に設けられ、前記溝の一端部の前記係止部は、前記溝の端部の開口を所定の長さにわたって少なくとも部分的に閉じる閉塞部によって形成され、前記溝の他端部の前記係止部が前記固定フード自体によって形成されることを特徴とする請求項１に記載のリールシート。
【請求項５】
前記溝は、リールシートを握る手の指が当たる前記リールシート本体の側面部位に設けられることを特徴とする請求項４に記載のリールシート。
【請求項６】
前記移動フードには、前記リールシート本体上の前記プレートを外部に露出させて視認可能にする開口が設けられることを特徴とする請求項５に記載のリールシート。
【請求項７】
前記プレートが装飾用プレートとして形成されることを特徴とする請求項１から６のいずれか一項に記載のリールシート。
【発明の詳細な説明】
【技術分野】
【０００１】
本発明は、リールを装着するために釣竿に設けられるリールシートに関する。
【背景技術】
【０００２】
従来から、リールを装着して使用できる釣竿においては、リールの脚部（以下、リール脚と称する）が着脱自在に装着されるリールシートが設けられる。このようなリールシートは、様々な形態のものが知られているが、一般的には、釣竿の竿杆に取り付けられて（あるいは、竿杆と一体に形成されて）リール脚を載置するためのリール脚載置面を有するリールシート本体と、リールシート本体に取り付け固定されてリール脚を受け入れる開口を有する固定フードと、固定フードと対向して移動可能にリールシート本体に設けられてリール脚を受け入れる開口を有する移動フードとを備える。そして、このようなリールシートに対するリールの装着は、リール脚載置面上にリール脚を載置した状態で固定フードの開口にリール脚の一端を挿入し、その状態で、移動フードを固定フード側へ移動させてリール脚の他端を移動フードの開口に挿入して固定することで行なわれる。
【０００３】
ところで、このようなリールシートには、装飾のため、操作性向上のため、或いは、軽量化のためなど、様々な目的でプレートが設けられる場合がある。例えば、特許文献１では、軽量化を図ることができ、指により振動を体感できるようにするとともに、指への負担を軽減させることを目的として、リール脚載置面の裏側に指当て用の凹状の穴を設け、この穴内に該穴の少なくとも一部を閉塞するようにプレートを嵌合又は接着により固定している。
【先行技術文献】
【特許文献】
【０００４】
【特許文献１】実用新案登録第３１００５５７号
【発明の概要】
【発明が解決しようとする課題】
【０００５】
このようなプレートは、特に装飾等を目的として設けられる場合には、外側から容易に視認できるように、リール脚載置面上や特許文献１に開示されるようなリール脚載置面の裏側ではなく、例えばリールシートの側面に固定されることが望まれるが、その場合には、それ特有の問題が生じ得る。
【０００６】
すなわち、リールシートの側面部位は、釣人によって常に握持される部位であり、また、厳しい環境下に晒される部位でもあることから、この側面部位にプレートを設けると、長時間の使用によってプレートをリールシートに固定している接着剤が劣化したり水分が付着したりするなどしてプレートが剥がれ易くなる。また、プレートが一部でも剥がれると、特にプレートが金属やカーボン等によって形成されている場合には、プレートの剥がれた部位によって、リールシートを握持している手が傷付く虞もある。
【０００７】
本発明は、上記した問題に着目してなされたものであり、取り付けられるプレートの剥がれを防止してプレートの確実な固定状態を維持できるリールシートを提供することを目的とする。
【課題を解決するための手段】
【０００８】
上記目的を達成するために、本発明は、釣竿の竿杆に設けられ、リール脚を載置するためのリール脚載置面を有するリールシート本体と、該リールシート本体に設けられ、リール脚を受け入れる開口を有する固定フードと、該固定フードと対向して移動可能にリールシート本体に設けられ、リール脚を受け入れる開口を有する移動フードとを備え、前記移動フードと前記固定フードとの間で前記リール脚を締め付けて固定するリールシートであって、前記リールシート本体及び／又は前記フードに設けられる凹陥状の所定の長さを有する溝と、この溝に嵌め込まれるプレートとを有し、前記溝の端部には、前記プレートと係止して前記溝からの前記プレートの浮き上がりを規制するための係止部が設けられることを特徴とする。
【０００９】
上記構成によれば、凹陥状の所定の長さを有する溝にプレートが嵌め込まれる構造において、プレートと係止して溝からのプレートの浮き上がりを規制するための係止部が溝の端部に設けられるため、長時間の使用によってプレートをリールシートに固定している接着剤が劣化したり水分が付着したりするなどしてプレートが剥がれ易い状態になっても、或いは、釣人によって常に握持されて厳しい環境下に晒されるリールシートの側面部位にプレートを設ける場合であっても、取り付けられるプレートの剥がれを防止してプレートの確実な固定状態を維持できる。したがって、プレートの剥がれた部位によってリールシートを握持している手を傷付けてしまうことも防止できる。その結果、金属やカーボン等のプレートの取り付けも可能となり、それにより、外観デザインの向上を図ることもできる。また、プレートの剥がれによって移動フード等の作動に影響を与えることもなくなる。
【００１０】
なお、上記構成において、溝（したがってプレート）は、リールシートの任意の部位、すなわち、リールシート本体、固定フード、及び、移動フードのいずれかの部位（側面、上面、下面など、任意の面）に設けることができ、その設けられる方向（長さ方向）も任意に設定できる。また、溝の数は１つに限らず、複数個設けることもできる。また、溝に嵌め込まれるプレートは、所定の平面部を有する板状体であれば、その形状や使用態様はどのようなものであってもよく、例えば装飾用プレートとして形成されてもよい。
【００１１】
また、プレートと係止して溝からのプレートの浮き上がりを規制するための係止部は、溝の一端部のみに設けられてもよいが、溝の両端部に設けられることが好ましい。係止部が溝の両端部に設けられれば、プレートを接着固定しなくて済む。
【００１２】
また、溝に設けられる係止部は、プレートと係止して溝からのプレートの浮き上がりを規制できればどのような形態であってもよく、例えば、溝の端部の開口を所定の長さにわたって少なくとも部分的に閉じる閉塞部によって形成されてもよい。このような閉塞部によれば、プレートの浮き上がりを効果的に且つ簡単に防止することができ、また、閉塞部がない開放された溝の他の部位からプレートを溝に嵌め付けて閉塞部内へとスライドさせて挿入することによりプレートを浮き上がり防止状態で溝に取り付け固定することもできる。この場合、閉塞部は、溝の開口を完全に閉塞してもよい。
【００１３】
また、溝をリールシート本体に設けるとともに、係止部を溝の両端に設ける場合、溝の一端部の係止部は、溝の端部の開口を所定の長さにわたって少なくとも部分的に閉じる閉塞部によって形成され、溝の他端部の係止部が固定フード自体によって形成されてもよい。これによれば、リールシートの既存の構成部品を用いて係止部を形成できるため、部品点数を削減でき、若しくは、溝の他端部で係止部の加工も不要となる。或いは、固定フードのようにリールシート本体を取り囲むリング等の別部材によって係止部が形成されても構わない。しかしながら、勿論、溝の両端部の係止部がいずれも、溝の端部の開口を所定の長さにわたって少なくとも部分的に閉じる閉塞部によって形成されてもよい。
【００１４】
上記構成のような係止部による浮き上がり防止構造は、リールシートを握る手の指が当たるリールシート本体の側面部位に溝（したがってプレート）を設ける場合に特に優れた効果を発揮し得るが、その場合には、プレートが視認し得ない状態となることを回避するために、リールシート本体上のプレートを外部に露出させて視認可能にする開口が移動フードに設けられることが好ましい。
【発明の効果】
【００１５】
本発明によれば、取り付けられるプレートの剥がれを防止してプレートの確実な固定状態を維持できるリールシートが得られる。
【図面の簡単な説明】
【００１６】
【図１】釣竿の竿杆に設けられた本発明の一実施形態に係るリールシートにリールを装着して手で握った状態を示す側面図である。
【図２】（ａ）は、固定フードが仮想線で示される図１のリールシートを構成するリールシート本体の側面図及び要部拡大断面図、（ｂ）は、（ａ）の変形例に係る要部拡大断面図である。
【図３】固定フード及び移動フードが仮想線で示されるリールシート本体の側面図である。
【図４】リールシート本体の溝にプレートが嵌め付け固定された状態で固定フードがリールシート本体に取り付け固定されようとしている組み立て途中のリールシートの側面図である。
【図５】移動フードが取り外された状態のリールシートの側面図である。
【図６】変形例に係る図３に対応する側面図である。
【発明を実施するための形態】
【００１７】
以下、本発明に係るリールシートの一実施形態について、添付図面を参照して具体的に説明する。
図１に示されるように、本実施形態に係るリールシート１は、釣竿の竿杆８０に対して嵌入（外嵌）される筒状のリールシート本体２（以下、シート本体と称する）を備えており、このシート本体２に、以下の構成部材が設けられている。なお、シート本体２は、図示しない金型を用いて合成樹脂を射出成形することで一体形成することが可能である。
【００１８】
シート本体２は、リールＲ（図１にはリールＲの本体が図示されない）の脚部（以下、リール脚という）Ｒ１の載置部Ｒ１ａ（リール脚Ｒ１の一部を形成し、リール脚Ｒ１の本体の先端でこれに対して略垂直に延びる所定の長さを有する部分）が載置されるように平坦面となったリール脚載置面３と、その前後に対向して配置され、リール脚Ｒ１（具体的には、載置部Ｒ１ａの前端および後端）を受け入れる開口５ａ，６ａを有する一対のフード５，６とを有している。これらの一対のフード５，６のうち、少なくとも一方は移動式に構成されており、本実施形態では、後方側（竿尻側）が移動フード６になっており、前方側（竿先側）が固定フード５となっている。なお、フード５，６も、シート本体２と同様に、図示しない金型を用いて合成樹脂を射出成形することにより形成可能である。
【００１９】
移動フード６は、シート本体２に対して軸方向Ｘに移動自在に組み付けられ、移動フード６と一体の調整ナット部材１６を介して軸方向Ｘに移動して固定フード５に対して接離される。調整ナット部材１６は、シート本体２に設けられるネジ部９（簡単のため、図２及び図３にはネジ部９が描かれていない）に螺合され、その螺合調整により、移動フード６を軸方向Ｘに移動調整して（固定フード５へ向けて移動させて）、移動フード６と固定フード５との間でリール脚Ｒ１を締め付けて（載置部Ｒ１ａを前後から締め付けて）固定するようになっている。
【００２０】
また、シート本体２には、移動フード６が回転することなく軸方向Ｘに沿って移動できるように、移動フード６の移動を案内する案内溝(図示せず)が軸方向Ｘに沿って所定範囲にわたり形成されている。この案内溝には、移動フード６に一体形成された係合部（図示せず）が係合するようになっており、これにより、移動フード６は、シート本体２に対して回転することなく軸方向Ｘに沿って安定して案内される。
【００２１】
また、本実施形態では、図２〜図５に明確に示されるように、リールシート１を握る手の指が当たるシート本体２の側面２ａにプレート３０を取り付けるために、シート本体２の側面２ａにその軸方向Ｘに沿って所定の長さにわたって延びる凹陥状の細長い溝３１が設けられる。本実施形態において、この溝３１は、ネジ部９の端部に達する部位（一端部３１ａ）から、シート本体２に固定フード５が取り付けられた状態で固定フード５の内側に隠れるシート本体２の側面２ａの部位（他端部３１ｂ）まで延びている。このような溝３１の延在形態は、図２及び図３から明らかであるが、特に、シート本体２の溝３１にプレート３０が嵌め付け固定された状態で固定フード５がシート本体２に取り付け固定されようとしている組み立て途中のリールシート１の側面図を示す図４、及び、移動フード６が取り外された状態のリールシート１の側面図を示す図５からも容易に理解できる。なお、固定フード５の内側に隠れる溝３１の他端部３１ｂからは、固定フード５をシート本体２に取り付ける際に固定フード５を案内する案内溝３５が延びている。
【００２２】
また、このような溝３１に嵌め込まれる（圧入されてもよい）プレート３０は、所定の厚みを有しており、溝３１の全領域にわたって嵌着される。本実施形態において、このプレート３０は、金属やカーボン等から成る装飾用プレートとして形成されて溝３１内に両面テープ又は接着剤によって固定される。この場合、溝３１内にコマセ等の異物が詰まらないように、溝３１内にプレート３０が嵌め付けられた状態でクリア塗装などによって溝３１の開口縁がシート本体２の外表面と面一にされてもよい。なお、本実施形態において、移動フード６の側面には、シート本体２の側面２ａ上のプレート３０を外部に露出させて視認可能にする開口６ｂが設けられている。
【００２３】
このような溝３１及びプレート３０（移動フードの開口６ｂ）は、前述したように、リールシート１を握る手の指が当たるリールシート部位に位置され、したがって、釣竿の竿杆８０を握ってリールシート１に指を沿わせると、指先が常に溝３１及びプレート３０に当て付く。具体的には、図１に示されるように、リール脚載置面３を下側にして親指１００Ａをリール脚載置面３と反対側の面に当て付け且つ人差し指１００Ｂを固定フード５付近に軽く当てた状態でリール脚Ｒ１を跨いでリールシート１を手１００で把持すると、中指１００Ｃ及び薬指１００Ｄがシート本体２の側面（したがって溝３１及びプレート３０）に当て付いた状態で小指１００Ｅが移動フード６に当て付く。
【００２４】
また、このように形成される溝３１の端部には、プレート３０と係止して溝３１からのプレート３０の浮き上がりを規制するための係止部４０が設けられる。本実施形態において、この係止部４０は、移動フード６側の溝３１の一端部３１ａでは、溝３１の端部の開口を所定の長さにわたって少なくとも部分的に閉じる閉塞部４２（図２の（ａ）に〇で囲まれた領域）によって形成され、固定フード５側の溝３１の他端部３１ｂでは、固定フード５自体（図２の（ａ）に〇で囲まれた固定フード５の領域）によって形成される。すなわち、本実施形態では、係止部４０が溝３１の両端３１ａ，３１ｂに設けられる。
【００２５】
移動フード６側の溝３１の一端部３１ａで係止部４０を形成する閉塞部４２は、図２の（ａ）の要部拡大断面図に明確に示されるように、溝３１の開口３７の両側（開口３７を挟んで対向する溝３１の長手方向に沿う両端縁）から互いの方へ向かって延びる一対の壁３９，３９として形成され、プレート３０の先端部に引っ掛かって浮き上がらないようにする。一方、固定フード５側の溝３１の他端部３１ｂで係止部４０を形成する固定フード５は、その内面によって溝３１の端部の開口を所定の長さにわたって完全に閉じて溝３１からのプレート３０の浮き上がりを規制する。なお、図２の（ｂ）に示されるように、一対の壁３９，３９が繋がるように閉塞部４２が開口３７を完全に閉じた閉塞壁３９Ａによって形成されてもよい。
【００２６】
以上説明したように、本実施形態によれば、凹陥状の所定の長さを有する溝３１にプレート３０が嵌め込まれる構造において、プレート３０と係止して溝３１からのプレート３０の浮き上がりを規制するための係止部４０が溝３１の端部に設けられるため、長時間の使用によってプレート３０をリールシート１に固定している接着剤が劣化したり水分が付着したりするなどしてプレート３０が剥がれ易い状態になっても、或いは、釣人によって常に握持されて厳しい環境下に晒されるリールシート１の側面部位にプレート３０を設ける場合であっても、取り付けられるプレート３０の剥がれを防止してプレート３０の確実な固定状態を維持できる。したがって、プレート３０の剥がれた部位によってリールシート１を握持している手を傷付けてしまうことも防止できる。その結果、金属やカーボン等のプレート３０の取り付けも可能となり、それにより、外観デザインの向上を図ることもできる。また、プレート３０の剥がれによって移動フード等の作動に影響を与えることもなくなる。
【００２７】
また、本実施形態では、係止部４０が溝３１の両端部３１ａ，３１ｂに設けられるため、プレート３０を接着固定しなくて済む（しかしながら、本実施形態では、前述したようにプレート３０の固定を確実ならしめるために、接着剤が使用される）。
【００２８】
また、本実施形態において、溝３１の一端部３１ａの係止部４０は、溝３１の端部の開口３１ａを所定の長さにわたって少なくとも部分的に閉じる閉塞部４２によって形成されているため、プレート３０の浮き上がりを効果的に且つ簡単に防止することができ、また、閉塞部４２がない開放された溝３１の他の部位からプレート３０を溝３１に嵌め付けて閉塞部４２内へとスライドさせて挿入することによりプレート３０を浮き上がり防止状態で溝３１に取り付け固定することもできる。
【００２９】
また、本実施形態では、溝３１の他端部３１ｂの係止部４０がリールシート１の既存の構成部品である固定フード５自体によって形成されているため、部品点数を削減でき、また、溝３１のこの他端部３１ｂにおいて係止部４０の加工も不要となる。
【００３０】
また、本実施形態では、シート本体２上のプレート３０を外部に露出させて視認可能にする開口６ｂが移動フード６に設けられるため、移動フード６の移動等によってプレート３０が視認し得ない状態となることを回避できる。
【００３１】
以上、本発明の実施形態について説明したが、本発明は、前述した実施形態に限定されず、その要旨を逸脱しない範囲で種々変形して実施できる。例えば、前述した実施形態では、溝がリールシート本体に設けられていたが、溝（したがってプレート）は、リールシートの任意の部位、すなわち、リールシート本体、固定フード、及び、移動フードのいずれかの部位（側面、上面、下面など、任意の面）に設けることができ、その設けられる方向（長さ方向）も任意に設定できる。また、溝の数は１つに限らず、複数個設けることもできる。また、溝に嵌め込まれるプレートは、所定の平面部を有する板状体であれば、その形状や使用態様はどのようなものであってもよく、装飾用プレートに限らない。また、前述した実施形態では、溝３１がその端部の係止部４０で少なくとも部分的に閉じられていたが、図６に示されるように、溝３１の途中に、溝３１の開口を完全に（又は部分的に）閉じる更なる閉塞部４２Ａが所定の長さにわたって設けられてもよい。
【符号の説明】
【００３２】
１  リールシート
２  リールシート本体
３  リール脚載置面
５  固定フード
６  移動フード
６ｂ  開口
３０  プレート
３１  溝
３１ａ  一端部
３１ｂ  他端部
３７  開口
４０  係止部
４２  閉塞部
８０  竿杆
Ｒ１  リール脚
【図１】
2019170314.tif 000003
【図２】
2019170314.tif 000004
【図３】
2019170314.tif 000005
【図４】
2019170314.tif 000006
【図５】
2019170314.tif 000007
【図６】
2019170314.tif 000008